(57)【要約】【課題】ハウジング内のオイルを容易且つ迅速に排出できるとともに、オイルフィルタの取り外し作業性を向上させ得るオイルフィルタ交換工具を提供する。【解決手段】本オイルフィルタ交換工具１は、ハウジングの頭部２ａを保持可能な内筒１６、及び内筒の外側に設けられて内筒との間でオイル受け空間Ｓを形成する外筒１７を備える工具本体１２と、工具本体に変位可能に設けられ、内筒に保持されたハウジングの頭部の外周壁７の外側から該外周壁に向かって変位して該外周壁を貫通可能な穴開け部材１３と、工具本体に軸回りに回動可能に設けられ、工具本体の軸回りの所定方向Ｐに回転されることで、穴開け部材を押圧して外周壁に向かって変位させる回動部材１４と、を備える。【選択図】図２
2019019764.tif 000002
【特許請求の範囲】
【請求項１】
エンジンに対して筒状のハウジングが軸回りの回転により頭部を下向きに取り付けられたオイルフィルタを取り外すためのオイルフィルタ交換工具であって、
前記ハウジングの頭部を保持可能な内筒、及び前記内筒の外側に設けられて前記内筒との間でオイル受け空間を形成する外筒を備える工具本体と、
前記工具本体に変位可能に設けられ、前記内筒に保持された前記ハウジングの頭部の外周壁の外側から該外周壁に向かって変位して該外周壁を貫通可能な穴開け部材と、
前記工具本体に軸回りに回動可能に設けられ、前記工具本体の軸回りの所定方向に回転されることで、前記穴開け部材を押圧して前記外周壁に向かって変位させる回動部材と、を備えることを特徴とするオイルフィルタ交換工具。
【請求項２】
前記回動部材は、前記穴開け部材を押圧してから前記工具本体の軸回りの前記所定方向に更に回転されることで、前記工具本体と係止して前記工具本体を軸回りに回転させる請求項１記載のオイルフィルタ交換工具。
【請求項３】
前記内筒と前記外筒との間には、前記回動部材が係止可能なリブが架け渡されている請求項２記載のオイルフィルタ交換工具。
【請求項４】
前記穴開け部材は、前記ハウジングの頭部の前記外周壁のうちの前記外筒で覆われる部分を貫通するように配置されている請求項１乃至３のいずれか一項に記載のオイルフィルタ交換工具。
【請求項５】
前記穴開け部材は、前記内筒に揺動可能に支持されており、
前記穴開け部材と前記内筒との間には、前記穴開け部材を前記ハウジングの頭部の前記外周壁から外側に離れる方向に付勢する付勢バネが介装されている請求項１乃至４のいずれか一項に記載のオイルフィルタ交換工具。
【請求項６】
前記回動部材には、前記回動部材を回動させるための回動用工具の連結部が挿着可能な工具挿着孔が形成されており、
前記工具挿着孔の一端側は、前記オイル受け空間に連通している請求項１乃至５のいずれか一項に記載のオイルフィルタ交換工具。
【発明の詳細な説明】
【技術分野】
【０００１】
本発明は、オイルフィルタ交換工具に関し、さらに詳しくは、エンジンに対して筒状のハウジングが軸回りの回転により頭部を下向きに取り付けられたオイルフィルタを取り外すためのオイルフィルタ交換工具に関する。
【背景技術】
【０００２】
従来のオイルフィルタ交換工具として、エンジンに対して筒状のハウジングが軸回りの回転により頭部を下向きに取り付けられたオイルフィルタを取り外すためのものが一般に知られている（例えば、特許文献１参照）。この特許文献１には、例えば、図１０に示されるように、ハウジング１０２の頭部１０２ａを保持可能な保持部１０９と、保持部１０９の外側に設けられるオイル受け部１１０と、を備えるオイルフィルタ交換工具１１１が記載されている（特許文献１の図１参照）。この交換工具１１１によると、エンジン１０８からオイルフィルタ１０１を取り外す際に、ハウジング１０２の底部１０２ｂ側から排出されるオイル（図中で破線矢印で示す。）をオイル受け部１１０で受けることで、作業者や作業環境に対するオイルの汚染が抑制される。
【先行技術文献】
【特許文献】
【０００３】
【特許文献１】特開平１１−２２１７７７号公報
【特許文献２】特開２００１−２２７３１８号公報
【発明の概要】
【発明が解決しようとする課題】
【０００４】
しかし、上記特許文献１に記載されたオイルフィルタ交換工具１１１では、ハウジング１０２の底部１０２ｂ側から排出されるオイルをハウジング１０２の頭部１０２ａ側に配置されるオイル受け部１１０で受けるようにしているので、ハウジング１０２の外周面にオイルが付着して汚れ易く、オイルフィルタ１０１の取り外し作業性が悪化する。さらに、ハウジング１０２の底部１０２ｂ側から排出されるオイルの勢いによっては、作業者や作業環境に対してオイルが飛散してしまう。
【０００５】
なお、上記特許文献２には、オイルフィルタのハウジングの外周壁に対してボルトをネジ付けて、ボルトの先端テーパ部で外周壁を突き破りオイルを排出させることが記載されている（特許文献２の図２参照）。しかし、特許文献２には、排出されるオイルの受け構造について全く記載されておらず、更にハウジングの外周壁に対してボルトをネジ付ける必要がある。そのため、特許文献２の技術では、作業者や作業環境に対するオイルの汚染を抑制しつつハウジング内のオイルを容易且つ迅速に排出できない。
【０００６】
本発明は、上記現状に鑑みてなされたものであり、作業者や作業環境に対するオイルの汚染を抑制しつつハウジング内のオイルを容易且つ迅速に排出できるとともに、オイルフィルタの取り外し作業性を向上させることができるオイルフィルタ交換工具を提供することを目的とする。
【課題を解決するための手段】
【０００７】
上記問題を解決するために、請求項１に記載の発明は、エンジンに対して筒状のハウジングが軸回りの回転により頭部を下向きに取り付けられたオイルフィルタを取り外すためのオイルフィルタ交換工具であって、前記ハウジングの頭部を保持可能な内筒、及び前記内筒の外側に設けられて前記内筒との間でオイル受け空間を形成する外筒を備える工具本体と、前記工具本体に変位可能に設けられ、前記内筒に保持された前記ハウジングの頭部の外周壁の外側から該外周壁に向かって変位して該外周壁を貫通可能な穴開け部材と、前記工具本体に軸回りに回動可能に設けられ、前記工具本体の軸回りの所定方向に回転されることで、前記穴開け部材を押圧して前記外周壁に向かって変位させる回動部材と、を備えることを要旨とする。
請求項２に記載の発明は、請求項１記載の発明において、前記回動部材は、前記穴開け部材を押圧してから前記工具本体の軸回りの前記所定方向に更に回転されることで、前記工具本体と係止して前記工具本体を軸回りに回転させることを要旨とする。
請求項３に記載の発明は、請求項２記載の発明において、前記内筒と前記外筒との間には、前記回動部材が係止可能なリブが架け渡されていることを要旨とする。
請求項４に記載の発明は、請求項１乃至３のいずれか一項に記載の発明において、前記穴開け部材は、前記ハウジングの頭部の前記外周壁のうちの前記外筒で覆われる部分を貫通するように配置されていることを要旨とする。
請求項５に記載の発明は、請求項１乃至４のいずれか一項に記載の発明において、前記穴開け部材は、前記内筒に揺動可能に支持されており、前記穴開け部材と前記内筒との間には、前記穴開け部材を前記ハウジングの頭部の前記外周壁から外側に離れる方向に付勢する付勢バネが介装されていることを要旨とする。
請求項６に記載の発明は、請求項１乃至５のいずれか一項に記載の発明において、前記回動部材には、前記回動部材を回動させるための回動用工具の連結部が挿着可能な工具挿着孔が形成されており、前記工具挿着孔の一端側は、前記オイル受け空間に連通していることを要旨とする。
【発明の効果】
【０００８】
本発明のオイルフィルタ交換工具によると、ハウジングの頭部を保持可能な内筒、及び内筒の外側に設けられて内筒との間でオイル受け空間を形成する外筒を備える工具本体と、工具本体に変位可能に設けられ、内筒に保持されたハウジングの頭部の外周壁の外側から該外周壁に向かって変位して該外周壁を貫通可能な穴開け部材と、工具本体に軸回りに回動可能に設けられ、工具本体の軸回りの所定方向に回転されることで、穴開け部材を押圧して外周壁に向かって変位させる回動部材と、を備える。これにより、エンジンからオイルフィルタを取り外す際に、ハウジングの頭部を内筒で保持した状態より、回動部材を工具本体の軸回りの所定方向に回転させると、回動部材による押圧により穴開け部材が変位されてハウジングの頭部の外周壁を貫通して貫通穴が形成される。そして、外周壁の貫通穴を介してハウジング内からオイルが排出されてオイル受け空間内に受けられる。そのため、作業者や作業環境に対するオイルの汚染を抑制しつつハウジング内のオイルを容易且つ迅速に排出することができる。さらに、ハウジングの外周面にオイルが付着し難いため、オイルフィルタの取り外し作業性を向上させることができる。
また、前記回動部材が、前記穴開け部材を押圧してから前記工具本体の軸回りの前記所定方向に更に回転されることで、前記工具本体と係止して前記工具本体を軸回りに回転させる場合は、外周壁の貫通穴を介してハウジング内のオイルが排出されてから、回動部材を所定方向に更に回転させると、回動部材が工具本体と係止して工具本体が回転される。そして、工具本体とともに内筒に保持されたハウジングが所定方向に連れ回されて、エンジンからオイルフィルタが取り外される。
また、前記内筒と前記外筒との間に、前記回動部材が係止可能なリブが架け渡されている場合は、回動部材がリブと係止して工具本体が安定的に回転されるとともに、リブにより工具本体の剛性が高められる。
また、前記穴開け部材が、前記ハウジングの頭部の前記外周壁のうちの前記外筒で覆われる部分を貫通するように配置されている場合は、外周壁の貫通穴を介してハウジング内から排出されるオイルがオイル受け空間内に安定的に受けられる。
また、前記穴開け部材が、前記内筒に揺動可能に支持されており、前記穴開け部材と前記内筒との間に、付勢バネが介装されている場合は、回動部材の押圧により穴開け部材が付勢バネの付勢力に抗して外周壁に向かって揺動されるとともに、回動部材の押圧が解除されると付勢バネの付勢力により穴開け部材が外周壁の外側に戻される。
さらに、前記回動部材に、回動用工具の連結部が挿着可能な工具挿着孔が形成されており、前記工具挿着孔の一端側が、前記オイル受け空間に連通している場合は、工具挿着孔に挿着された回動用工具を操作することで回動部材が回動されるとともに、工具挿着孔から回動用工具の連結部を抜き出すことで、工具挿着孔を介してオイル受け空間内のオイルが外部に排出される。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るオイルフィルタ交換工具を説明するための説明図であり、オイルフィルタに対して装着された状態を示す。
【図２】図１の分解斜視図である。
【図３】図２の要部拡大図であり、回動部材が穴開け部材を押圧した状態を示す。
【図４】図１のＩＶ−ＩＶ線断面図であり、（ａ）は穴開け部材が外周壁の外側に位置する状態を示し、（ｂ）は穴開け部材が外周壁を貫通した状態を示す。
【図５】図４のＶ矢視部の拡大図（図４とは異なる高さ位置での断面を示す。）であり、（ａ）は穴開け部材が外周壁の外側に位置する状態を示し、（ｂ）は穴開け部材が外周壁を貫通した状態を示す。
【図６】図４のＶＩ−ＶＩ線断面図である。
【図７】上記オイルフィルタ交換工具の作用説明図である。
【図８】上記オイルフィルタ交換工具の作用説明図である。
【図９】他の形態に係るオイルフィルタ交換工具を説明するための説明図である。
【図１０】従来のオイルフィルタ交換工具を説明するための説明図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
本実施形態に係るオイルフィルタ交換工具は、エンジン（８）に対して筒状のハウジング（２）が軸回りの回転により頭部（２ａ）を下向きに取り付けられるオイルフィルタ（１）を取り外すためのオイルフィルタ交換工具（１１）であって、ハウジングの頭部（２ａ）を保持可能な内筒（１６）、及び内筒の外側に設けられて内筒との間でオイル受け空間（Ｓ）を形成する外筒（１７）を備える工具本体（１２）と、工具本体（１２）に変位可能に設けられ、内筒（１６）に保持されたハウジングの頭部（２ａ）の外周壁（７）の外側から該外周壁に向かって変位して該外周壁を貫通可能な穴開け部材（１３）と、工具本体（１２）に軸回りに回動可能に設けられ、工具本体の軸回りの所定方向（Ｐ）に回転されることで、穴開け部材（１３）を押圧して外周壁（７）に向かって変位させる回動部材（１４）と、を備える（例えば、図１、図２及び図５等参照）。
【００１２】
本実施形態に係るオイルフィルタ交換工具としては、例えば、上記回動部材（１４）は、穴開け部材（１３）を押圧してから工具本体（１２）の軸回りの所定方向（Ｐ）に更に回転されることで、工具本体（１２）と係止して工具本体を軸回りに回転させる形態（例えば、図８等参照）が挙げられる。この場合、例えば、上記内筒（１６）と外筒（１７）との間には、回動部材（１４）が係止可能なリブ（２３）が架け渡されていることができる。
【００１３】
本実施形態に係るオイルフィルタ交換工具としては、例えば、上記穴開け部材（１３）は、ハウジングの頭部（２ａ）の外周壁（７）のうちの外筒（１７）で覆われる部分を貫通するように配置されている形態（例えば、図６等参照）が挙げられる。
【００１４】
本実施形態に係るオイルフィルタ交換工具としては、例えば、上記穴開け部材（１３）は、内筒（１６）に揺動可能に支持されており、穴開け部材（１３）と内筒（１６）との間には、穴開け部材（１３）をハウジングの頭部（２ａ）の外周壁（７）から外側に離れる方向に付勢する付勢バネ（２８）が介装されている形態（例えば、図５等参照）が挙げられる。
【００１５】
本実施形態に係るオイルフィルタ交換工具としては、例えば、上記回動部材（１４）には、回動部材を回動させるための回動用工具（３５）の連結部（３５ａ）が挿着可能な工具挿着孔（３７）が形成されており、工具挿着孔（３７）の一端側は、オイル受け空間（Ｓ）に連通している形態（例えば、図７等参照）が挙げられる。
【００１６】
なお、上記実施形態で記載した各構成の括弧内の符号は、後述する実施例に記載の具体的構成との対応関係を示すものである。
【実施例】
【００１７】
以下、図面を用いて実施例により本発明を具体的に説明する。なお、本実施例では、本発明に係る「オイルフィルタ」として、ろ過エレメントとともにハウジングも含めて全体が交換されるスピンオン型のオイルフィルタを例示する。
【００１８】
上記オイルフィルタ１は、図２に示すように、円筒状のハウジング２と、ハウジング２内に軸心を一致して収容される円筒状のろ過エレメント３（図６参照）と、を備えている。このハウジング２の底部２ｂには、ろ過エレメント３の上流空間に連なるオイル流入口４と、ろ過エレメント３の下流空間に連なるオイル流出口５と、が形成されている。このオイル流出口５の内周側には、エンジン８に設けられるユニオンボルト６と螺合するネジ部５ａが設けられている。よって、エンジン８に対してハウジング２が軸回りの回転により頭部２ａを下向きにネジ締結される。さらに、ハウジング２の頭部２ａの外周壁７の表面には、複数の平面が並んで多角面状に形成されている。このハウジング２の頭部２ａは、後述するオイルフィルタ交換工具１１の内筒１６で嵌合保持される。
【００１９】
なお、上記オイルフィルタ１では、エンジン８側から送られるオイルがオイル流入口４を通ってハウジング２内に流入し、ろ過エレメント３を通過して塵埃などの異物がろ過されてから、オイル流出口５を通ってエンジン８側の各潤滑対象部に送られる。
【００２０】
（１）オイルフィルタ交換工具の構成
本実施例に係るオイルフィルタ交換工具１１は、図１及び図２に示すように、エンジン８からオイルフィルタ１を取り外す際に使用されるものである。このオイルフィルタ交換工具１１は、以下に述べる工具本体１２、穴開け部材１３及び回動部材１４を備えている。
【００２１】
上記工具本体１２は、ハウジング２の頭部２ａを保持可能な内筒１６と、内筒１６の外側に設けられて内筒１６との間でオイル受け空間Ｓを形成する外筒１７と、を備えている。これら内筒１６及び外筒１７は、一体物である。この内筒１６は、上方を開口した円筒容器状に形成に形成されている。また、内筒１６の外周壁には、穴開け部材１３が通過するための通過窓１８が円周方向に沿って所定の角度間隔（図中で９０度間隔）で複数（図中で４つ）形成されている。また、外筒１７は、上方を開口した円筒容器状に形成されている。さらに、外筒１７の底壁の中心部には、回動部材１４の後述する支持筒３１を回動自在に支持する支持孔１９が形成されている。この支持孔１９と支持筒３１との間には、オイルの漏れを防止するためのシール材２１が設けられている。
【００２２】
上記内筒１６の外周壁と外筒１７の外周壁との間には、回動部材１４の後述する押出部３３が係止可能な板状のリブ２３が架け渡されている。このリブ２３は、内筒１６及び外筒１７の円周方向に沿って所定の角度間隔（図中で９０度間隔）で複数（図中で４つ）設けられている（図４参照）。
【００２３】
上記穴開け部材１３は、図３〜図５に示すように、工具本体１２に変位可能に設けられ、内筒１６に保持されたハウジング２の頭部２ａの外周壁７の外側から該外周壁７に向かって変位して該外周壁７を貫通可能とされている。この穴開け部材１３は、支軸２４を介して内筒１６に対して内筒１６の軸と平行な軸回りに揺動可能に支持される支持部２５と、支持部２５の先端側に設けられて外周壁７を貫通する突起部２６と、を備えている。この穴開け部材１３は、内筒１６の円周方向に沿って所定の角度間隔（図中で９０度間隔）で複数（図中で４つ）設けられている。
【００２４】
上記穴開け部材１３（具体的に、支持部３１）と内筒１６の外周壁との間には、穴開け部材１３をハウジング２の頭部２ａの外周壁７から外側に離れる方向に付勢する付勢バネ２８が設けられている。この穴開け部材１３は、ハウジング２の頭部２ａの外周壁７のうちの外筒１７の外周壁で覆われる部分を貫通するように配置されている（図６参照）。
【００２５】
上記回動部材１４は、図４及び図６に示すように、工具本体１２に軸回りに回動可能に設けられ、工具本体１２の軸回りの所定方向（即ち、エンジン８に対してハウジング２を緩める方向）Ｐに回転されることで、穴開け部材１３を押圧して外周壁７に向かって変位させる。この回動部材１４は、外筒１７の支持孔１９に回動自在に支持される支持筒３１と、支持筒３１から遠心方向に延びる連絡部３２と、連絡部３２の先端側から立ち上がる棒状の押出部３３と、を備えている。これら連絡部３２及び押出部３３は、複数の穴開け部材１３に対応して、回動部材１４の円周方向に沿って所定の角度間隔（図中で９０度間隔）で複数（図中で４つ）設けられている。また、連絡部３２は、内筒１６の底壁と外筒１７の底壁の間に配置されている。
【００２６】
上記回動部材１４を所定方向Ｐに回転させると、図５に示すように、押出部３３で穴開け部材１３の支持部２５が押圧され、穴開け部材１３が外周壁７に向かって揺動されて突起部２６が外周壁７を貫通して、外周壁７に貫通穴３９が形成される。さらに、穴開け部材１３を押圧してから回動部材１４を所定方向Ｐに更に回転させると、押出部３３による押圧が解除されて、付勢バネ２８の付勢力により穴開け部材１３が外周壁７の外側に戻される。
【００２７】
上記回動部材１４には、図６に示すように、回動部材１４を回動させるための回動用工具（例えば、ラチェットレンチ等）３５の連結部３５ａが挿着可能な工具挿着孔３７が形成されている。この工具挿着孔３７は、回動部材１４の支持筒３１の内周面で形成されているとともに、その一端側がオイル受け空間Ｓに連通している。さらに、回動部材１４は、図８に示すように、穴開け部材１３を押圧し、その押圧を解除してから工具本体１２の軸回りの所定方向Ｐに更に回転されることで、工具本体１２と係止して工具本体１２を軸回りに回転させる。具体的に、押出部３３がリブ２３と係止することで、回動部材１４とともに工具本体１２が所定方向Ｐに回転される。
【００２８】
（２）オイルフィルタ交換工具の作用
次に、上記構成のオイルフィルタ交換工具１１の作用について説明する。オイルフィルタ１の交換の際には、図１に示すように、エンジン８に取り付けられたオイルフィルタ１のハウジング２の頭部２ａに工具本体１２の内筒１６を嵌合保持して、オイルフィルタ１に対してオイルフィルタ交換工具１１を装着する。次に、回動部材１４の工具挿着孔３７に回動用工具３５の連結部３５ａを挿着し、回動用工具２５の操作により回動部材１４を所定方向Ｐに回転させる。すると、図４（ｂ）及び図５（ｂ）に示すように、回動部材１４の押出部３３の押圧により、穴開け部材１３がハウジング２の頭部２ａの外周壁７の外側から該外周壁７に向かって揺動されて突起部２６が外周壁７を貫通して、外周壁７に貫通穴３９が形成される（図６参照）。
【００２９】
その後、回動用工具３５の操作により回動部材１４を所定方向Ｐに更に回転させると、回動部材１４の押出部３３の押圧が解除されて、付勢バネ２８の付勢力により穴開け部材１３が外周壁７の外側に戻される。すると、図７に示すように、外周壁７の貫通穴３９を介してハウジング２内のオイル（図中に破線矢印で示す。）が排出されてオイル受け空間Ｓ内に受けられる。次に、工具挿着孔３７から回動用工具３５の連結部３５ａを抜き出して、オイル受け空間Ｓ内のオイルを下方へ排出して回収容器（図示省略）で回収する。
【００３０】
次いで、工具挿着孔３７に回動用工具３５の連結部３５ａを再び挿着して、回動用工具３５の操作により回動部材１４を所定方向Ｐに更に回転させる。すると、図８に示すように、回動部材１４の押出部３３が工具本体１２のリブ２３と係止して回動部材１４とともに工具本体１２が所定方向Ｐに回転される。この工具本体１２の回転により、内筒１６に保持されたハウジング２の頭部２ａが所定方向Ｐに連れ回されて、エンジン８からオイルフィルタ１が取り外される。
【００３１】
（３）実施例の効果
本実施例のオイルフィルタ交換工具１１によると、ハウジング２の頭部２ａを保持可能な内筒１６、及び内筒１６の外側に設けられて内筒１６との間でオイル受け空間Ｓを形成する外筒１７を備える工具本体１２と、工具本体１２に変位可能に設けられ、内筒１６に保持されたハウジング２の頭部２ａの外周壁７の外側から該外周壁７に向かって変位して該外周壁７を貫通可能な穴開け部材１３と、工具本体１２に軸回りに回動可能に設けられ、工具本体１２の軸回りの所定方向Ｐに回転されることで、穴開け部材１３を押圧してハウジング２の頭部２ａの外周壁７を貫通させる回動部材１４と、を備える。これにより、エンジン８からオイルフィルタ１を取り外す際に、ハウジング２の頭部２ａを内筒１６で保持した状態より、回動部材１４を工具本体１２の軸回りの所定方向Ｐに回転させると、回動部材１４による押圧により穴開け部材１３が変位されてハウジング２の頭部２ａの外周壁７を貫通して貫通穴３９が形成される。そして、外周壁７の貫通穴３９を介してハウジング２内からオイルが排出されてオイル受け空間Ｓ内に受けられる。そのため、作業者や作業環境に対するオイルの汚染を抑制しつつハウジング２内のオイルを容易且つ迅速に排出することができる。さらに、ハウジング２の外周面にオイルが付着し難いため、オイルフィルタ１の取り外し作業性を向上させることができる。
【００３２】
また、本実施例では、回動部材１４は、穴開け部材１３を押圧してから工具本体１２の軸回りの所定方向Ｐに更に回転されることで、工具本体１２と係止して工具本体１２を軸回りに回転させる。これにより、外周壁７の貫通穴３９を介してハウジング２内のオイルが排出されてから、回動部材１４を所定方向Ｐに更に回転させると、回動部材１４が工具本体１２と係止して工具本体１２が回転される。そして、工具本体１２とともに内筒１６に保持されたハウジング２が所定方向Ｐに連れ回されて、エンジン８からオイルフィルタ１が取り外される。
【００３３】
また、本実施例では、内筒１６と外筒１７との間には、回動部材１４が係止可能なリブ２３が架け渡されている。これにより、回動部材１４がリブ２３と係止して工具本体１２が安定的に回転されるとともに、リブ２３により工具本体１２の剛性が高められる。
【００３４】
また、本実施例では、穴開け部材１３は、ハウジング２の頭部２ａの外周壁７のうちの外筒１７で覆われる部分を貫通するように配置されている。これにより、外周壁７の貫通穴３９を介してハウジング２内から排出されるオイルがオイル受け空間Ｓ内に安定的に受けられる。
【００３５】
また、本実施例では、穴開け部材１３は、内筒１６に揺動可能に支持されており、穴開け部材１３と内筒１６との間には、付勢バネ２８が介装されている。これにより、回動部材１４の押圧により穴開け部材１３が付勢バネ２８の付勢力に抗して外周壁７に向かって揺動されるとともに、回動部材１４の押圧が解除されると付勢バネ２８の付勢力により穴開け部材１３が外周壁７の外側に戻される。
【００３６】
さらに、本実施例では、回動部材１４には、回動用工具３５の連結部３５ａが挿着可能な工具挿着孔３７が形成されており、工具挿着孔３７の一端側は、オイル受け空間Ｓに連通している。これにより、工具挿着孔３７に挿着された回動用工具３５を操作することで回動部材１４が回動されるとともに、工具挿着孔３７から回動用工具３５の連結部３５ａを抜き出すことで、工具挿着孔３７を介してオイル受け空間Ｓ内のオイルが外部に排出される。
【００３７】
尚、本発明においては、上記実施例に限られず、目的、用途に応じて本発明の範囲内で種々変更した実施例とすることができる。すなわち、上記実施例では、オイルフィルタ交換工具１１とともにハウジング２を緩める方向Ｐに回転させてオイルフィルタ１を取り外すようにしたが、これに限定されず、例えば、オイルフィルタ１からオイルフィルタ交換工具１１を取り外して、他の工具や手動でハウジング２を緩める方向Ｐに回転させてオイルフィルタ１を取り外すようにしてもよい。
【００３８】
また、上記実施例では、オイル受け空間Ｓ内のオイルを工具挿着孔３７から外部に排出する形態を例示したが、これに限定されず、例えば、図９に示すように、比較的大容量のオイル受け空間Ｓ内にオイルを溜めた状態のままで、オイルフィルタ交換工具１１とともにハウジング２を緩める方向Ｐに回転させたり、オイルフィルタ１からオイルフィルタ交換工具１１を取り外したりしてもよい。
【００３９】
また、上記実施例では、回動部材１４がハウジング２を緩める方向Ｐ（所定方向）に回転されるときに穴開け部材１３を押圧して変位させるようにしたが、これに限定されず、例えば、回動部材１４がハウジング２を締める方向（所定方向）に回転されるときに穴開け部材１３を押圧して変位させてもよい。この場合、例えば、回動部材１４が穴開け部材１３を押圧してからハウジング２を緩める方向（所定方向と反対の方向）に回転されるときに工具本体１２と係止して連れ回すことができる。
【００４０】
また、上記実施例では、穴開け部材１３を抜き出された状態の貫通穴３９からハウジング２内のオイルを排出するようにしたが、これに限定されず、例えば、穴開け部材１３を貫通させたままの状態の貫通穴３９からハウジング２内のオイルを排出してもよい。
【００４１】
また、上記実施例では、回動部材１４と別物である回動用工具３５で回動部材１４を回動させるようにしたが、これに限定されず、例えば、回動部材１４に操作部を予め設定しておき、操作部の操作により回動部材１４を回動させてもよい。
【００４２】
また、上記実施例では、穴開け部材１３を押圧し且つ工具本体１２と係止する押出部３３を備える回動部材１４を例示したが、これに限定されず、例えば、穴開け部材１３を押圧する押圧部と工具本体１２と係止する係止部とを別々に備える回動部材１４としてもよい。
【００４３】
また、上記実施例では、内筒１６と外筒１７に架け渡されるリブ２３に対して回動部材１４を係止させるようにしたが、これに限定されず、例えば、工具本体１２のリブ２３以外の部分（例えば、内筒１６や外筒１７の外周壁から突出する突起）に対して回動部材１４を係止させてもよい。
【００４４】
また、上記実施例では、ハウジング２の頭部２ａの外周壁７のうちの外筒１７で覆われる部分を貫通する穴開け部材１３を例示したが、これに限定されず、例えば、ハウジング２の頭部２ａの外周壁７のうちの外筒１７の外周壁よりも上部を貫通する穴開け部材１３としてもよい。
【００４５】
また、上記実施例では、工具本体１２に対して揺動自在に支持される穴開け部材１３を例示したが、これに限定されず、例えば、工具本体１２に対してスライド自在に支持される穴開け部材１３としてもよい。
【００４６】
また、上記実施例では、工具本体１２の軸と平行な軸回りに揺動自在に支持される穴開け部材１３を例示したが、これに限定されず、例えば、工具本体１２の軸と交差する軸回りに揺動自在に支持される穴開け部材１３としてもよい。
【００４７】
さらに、上記実施例では、付勢バネ２８の付勢力により穴開け部材１３を外周壁７の外側に戻すようにしたが、これに限定されず、例えば、回動部材１４の押圧により穴開け部材１３を外周壁７の外側に戻すようにしてもよい。
【００４８】
さらに、本実施例では、ハウジング２の軸が略垂直を向いてエンジン８に取り付けられるオイルフィルタ１を取り外す形態を例示したが、これに限定されず、例えば、ハウジング２の軸が垂直と交差する方向を向いてエンジン８に取り付けられるオイルフィルタ１を取り外す形態としてもよい。
【００４９】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５０】
本発明は上記で詳述した実施形態に限定されず、本発明の請求項に示した範囲で様々な変形または変更が可能である。
【産業上の利用可能性】
【００５１】
本発明は、エンジンに取り付けられるオイルフィルタを交換する際に使用される工具として広く利用される。
【符号の説明】
【００５２】
１；オイルフィルタ、２；ハウジング、２ａ；頭部、７；外周壁、８；エンジン、１１；オイルフィルタ交換工具、１２；工具本体、１３；穴開け部材、１４；回動部材、１６；内筒、１７；外筒、２３；リブ、２８；付勢バネ、３５；回動用工具、３５ａ；連結部、３７；工具挿着孔、Ｐ；所定方向、Ｓ；オイル受け空間。
【図１】
2019019764.tif 000003
【図２】
2019019764.tif 000004
【図３】
2019019764.tif 000005
【図４】
2019019764.tif 000006
【図５】
2019019764.tif 000007
【図６】
2019019764.tif 000008
【図７】
2019019764.tif 000009
【図８】
2019019764.tif 000010
【図９】
2019019764.tif 000011
【図１０】
2019019764.tif 000012